(57)【要約】【課題】  身体障害者、入院患者、高齢者、ペット等が入浴する際にかかる負担を軽減する浴槽を提供することにより、バリアフリー対応、ペット対応等の要望に応じる。【解決手段】    浴槽本体１０の外部と内部とを連通すべく、浴槽本体１０の側壁１１ｂの上端から下方に向けて形成された開口部１１ｃと、この開口部１１ｃを開閉可能にするための側板１４とを有し、この側板１４を上方にスライドさせて開口部１１ｃから取り外すことにより開口部１１ｃが開口されるように構成され、この開口部１１ｃから人やペットが浴槽本体１０内に入り込むことを可能にしている。【選択図】      図１
2005224353.tif 000002
【特許請求の範囲】
【請求項１】
浴槽本体の外部と内部とを連通すべく、浴槽本体の側壁の上端から下方に向けて形成された開口部と、
この開口部に開閉可能に設けられた側板とを有する
ことを特徴とする浴槽。
【請求項２】
前記側板が上下にスライド可能で、かつ、上方に抜出可能に構成されていることを特徴とする請求項１記載の浴槽。
【請求項３】
前記側板は、透明性を有することを特徴とする請求項１又は２記載の浴槽。
【請求項４】
前記側板が高さ変更可能であり、前記浴槽本体内の液面が前記側板の上端を越えるとオーバーフローするように構成されていることを特徴とする請求項１〜３のいずれか１項に記載の浴槽。
【請求項５】
前記浴槽本体の側壁には、当該浴槽本体の内部に貯留された液体の液面高さを調節するためのオーバーフロー用排水口が高さを違えて複数形成され、
この排水口には、当該排水口をふさぐための栓が備えられた
ことを特徴とする請求項１〜３のいずれか１項に記載の浴槽。
【請求項６】
前記浴槽本体の下部に、前記浴槽本体から溢れ出た液体を受けるための水受部が形成されたことを特徴とする請求項１〜５のいずれか１項に記載の浴槽。
【請求項７】
前記浴槽本体に入れられる液体に気泡を発生させるための気泡発生装置と、
この気泡発生装置によって発生させた気泡を含む前記液体を前記浴槽本体の内部に入れるための注水装置とが備えられた
ことを特徴とする請求項１〜６のいずれか１項に記載の浴槽。
【請求項８】
前記注水装置に、前記浴槽本体の上方に配置されて、前記気泡を含む液体を前記浴槽本体に向けて噴射するシャワーが設けられた
ことを特徴とする請求項７記載の浴槽。
【請求項９】
前記注水装置とともに前記浴槽本体に液体を入れるための蛇口が備えられた
ことを特徴とする請求項７又は８記載の浴槽。
【請求項１０】
側壁の少なくとも一部が透明である浴槽本体と、
前記浴槽本体に入れられる液体に気泡を発生させるための気泡発生装置と、
前記気泡発生装置によって発生させた気泡を含む前記液体を前記浴槽本体の内部に入れるための注水装置と、
前記注水装置に設けられて前記気泡を含む液体を前記浴槽本体に向けて噴射する前記浴槽本体の上方に配置されたシャワーと、
前記注水装置に設けられて、前記気泡発生装置から直接的に前記気泡を含む液体を前記浴槽本体に入れるための注水口と
を備えたことを特徴とする浴槽。
【発明の詳細な説明】
【技術分野】
【０００１】
本発明は、人やペット等が温浴したり、身体を洗ったりすることが出来る浴槽に関するものである。
【背景技術】
【０００２】
従来、人間が温浴するための浴槽としては、略直方体の容器に形成され、上端が開口された浴槽本体と、この浴槽本体内に上側から冷水や温水を入れるための蛇口と、この浴槽本体内の底面から水を排出するための排水口を備えたものが広く知られている（例えば特許文献１）。そして、このような浴槽に入浴する場合、この浴槽本体の側壁を跨ぎ、前記開口された部分から浴槽本体内に入ることにより行う。
【特許文献１】実開平５−２０７３３号公報
【発明の開示】
【発明が解決しようとする課題】
【０００３】
近年、浴槽に求められる要求は多様化しており、例えば、バリアフリー対応や、ペット対応等、様々な用途に応じた浴槽の形態に設計することが要請されている。
【０００４】
しかしながら、従来の浴槽において入浴する場合、前記浴槽本体の上端に形成された開口部分からのみ前記浴槽本体内に入ることが出来たため、この浴槽本体の側壁を跨ぐ必要があるが、身体障害者、入院患者、高齢者、ペット等にとってこのような動作を行うことは困難である場合が多く、多くの負担を強いることになっていた。すなわち、従来の浴槽では、身体障害者、入院患者、高齢者、ペット等が入浴する際、その負担が大きいため、前記の要請に対応したものにすることが求められていた。
【０００５】
特に、入浴する際に補助者が必要とする者（以下要補助者と称す）やペットが入浴する場合、補助者は、一度浴槽本体より上に要補助者やペットを持ち上げて、この要補助者やペットを前記浴槽本体上に位置させ、その後、この要補助者やペットを降ろすことにより、前記開口部分から前記要補助者やペットを前記浴槽本体内に入れる必要があり、前記補助者に多大な負担が生じていたため、前記要請に対応した浴槽にすることが切望されていた。
【０００６】
そこで本発明は、身体障害者、入院患者、高齢者、ペット等が入浴する際にかかる負担を軽減する浴槽を提供することにより、バリアフリー対応、ペット対応等の要望に応じることを目的とする。
【課題を解決するための手段】
【０００７】
請求項１記載の発明は、浴槽本体の外部と内部とを連通すべく、浴槽本体の側壁の上端から下方に向けて形成された開口部と、この開口部に開閉可能に設けられた側板とを有することを特徴とする浴槽である。
【０００８】
請求項２記載の発明は、請求項１記載の浴槽において、前記側板が上下にスライド可能で、かつ、上方に抜出可能に構成されていることを特徴とする。
【０００９】
請求項３記載の発明は、請求項１又は２記載の浴槽において、前記側板が透明性を有することを特徴とする。
【００１０】
請求項４記載の発明は、請求項１〜３のいずれか１項に記載の浴槽において、前記側板が高さ変更可能であり、前記浴槽本体内の液面が前記側板の上端を越えるとオーバーフローするように構成されていることを特徴とする。
【００１１】
請求項５記載の発明は、請求項１〜３のいずれか１項に記載の浴槽において、前記浴槽本体の側壁には、当該浴槽本体の内部に貯留された液体の液面高さを調節するためのオーバーフロー用排水口が高さを違えて複数形成され、この排水口には、当該排水口をふさぐための栓が備えられたことを特徴とする。
【００１２】
請求項６記載の発明は、請求項１〜５のいずれか１項に記載の浴槽において、前記浴槽本体の下部に、前記浴槽本体から溢れ出た液体を受けるための水受部が形成されたことを特徴とする。
【００１３】
請求項７記載の発明は、請求項１〜６のいずれか１項に記載の浴槽において、前記浴槽本体に入れられる液体に気泡を発生させるための気泡発生装置と、この気泡発生装置によって発生させた気泡を含む前記液体を前記浴槽本体の内部に入れるための注水装置とが備えられたことを特徴とする。
【００１４】
請求項８記載の発明は、請求項７記載の浴槽において、前記注水装置に、前記浴槽本体の上方に配置されて、前記気泡を含む液体を前記浴槽本体に向けて噴射するシャワーが設けられたことを特徴とする。
【００１５】
請求項９記載の発明は、請求項７又は８記載の浴槽において、前記注水装置とともに前記浴槽本体に液体を入れるための蛇口が備えられたことを特徴とする。
【００１６】
請求項１０記載の発明は、側壁の少なくとも一部が透明である浴槽本体と、前記浴槽本体に入れられる液体に気泡を発生させるための気泡発生装置と、前記気泡発生装置によって発生させた気泡を含む前記液体を前記浴槽本体の内部に入れるための注水装置と、前記注水装置に設けられて前記気泡を含む液体を前記浴槽本体に向けて噴射する前記浴槽本体の上方に配置されたシャワーと、前記注水装置に設けられて、前記気泡発生装置から直接的に前記気泡を含む液体を前記浴槽本体に入れるための注水口とを備えたことを特徴とする浴槽である。
【発明の効果】
【００１７】
請求項１にかかる発明によれば、前記側板を開くことにより、前記開口部からも前記浴槽本体の内部に入ることが可能になる。
【００１８】
しかも、前記開口部は前記浴槽本体の側壁の上端から下方に向けて開口した形状に形成されているため、この開口部の下端は前記側壁の上端よりも低い位置に存在することになる。
【００１９】
したがって、前記浴槽本体の内部へは、前記側壁の上端を跨ぐ必要はなく、この側壁の上端よりも低い位置から入ることが可能となる。
【００２０】
また、前記補助者が前記要補助者やペットを入浴させる場合においても、前記側壁の上端よりも低い位置から前記要補助者やペットを前記浴槽本体内に入れることが可能になるため、従来のように前記要補助者やペットを前記側壁の上端より上まで持ち上げなくても前記浴槽本体内に入れることが可能になる。したがって、前記補助者の負担を軽減させることが可能となる。
【００２１】
以上より、本発明によれば、身体障害者、入院患者、高齢者、ペット等が入浴する際にかかる負担を軽減することが可能となる。
【００２２】
本発明の側板は、前記開口部を開閉するための扉とすべく、一端が回転軸となるように前記側壁に固定された状態で前記側壁に取り付けられたものであってもよい。もっとも、請求項２にかかる発明のように、上下方向にスライド可能で、かつ、上方に抜出可能に構成する方が、前記開口部を開閉するときに前記側板を動かすために必要なスペースが少なくて済み、省スペース化を図る上ではより好ましい。
【００２３】
請求項３にかかる発明によれば、前記側板は透明性を有しているため、入浴状況や前記浴槽本体内に貯められている液体の水位を目視することが出来るため、前記入浴状況に応じて前記浴槽本体の内部に貯留された液体の液面高さを好適な状態に調節することが可能となる。
【００２４】
請求項４にかかる発明によれば、前記側板の高さを変更することが可能になっているため、この高さを変更することにより、前記浴槽本体内に入れられる液体がオーバーフローする高さを調節することが出来、前記液体の液面高さを好適な状態に調節することが可能となる。
【００２５】
請求項５にかかる発明によれば、前記栓で、前記オーバーフロー用排水口を適宜ふさぐことにより、前記浴槽本体の内部に貯留された液体の液面高さを好適な状態に調節することが可能となる。
【００２６】
請求項６にかかる発明によれば、前記浴槽本体から溢れ出た液体を受けるための水受部が形成されているため、前記浴槽本体から前記液体が飛び散ることを可及的に阻止することが可能となる。したがって、防水処理がされていない箇所にもこの浴槽を設置することが可能になり、要望に応じて様々な場所に配置することが可能となる。
【００２７】
請求項７にかかる発明によれば、前記浴槽本体内に気泡を発生させた液体を入れることが可能となり、入浴する者やペットに心地よい刺激を与えることが可能となる。
【００２８】
請求項８にかかる発明によれば、前記気泡を発生させた液体を前記シャワーから直接的に人体やペットに当てることができるため、より有効に心地よい刺激を与えることが可能となる。
【００２９】
請求項９にかかる発明によれば、前記注水装置からだけでなく、前記蛇口からも前記液体を前記浴槽本体内に入れることが可能になるため、前記浴槽本体内に前記液体を貯留する時間を速くすることが可能となる。
【発明を実施するための最良の形態】
【００３０】
本発明の実施の形態につき、図１〜図４を用いて説明する。
【００３１】
まず、図１〜図３を用いて、本実施形態の浴槽１の構造について説明する。なお、図１は、浴槽１の外観の概略を示した斜視図、図２は、浴槽１の概略を示した平面図、図３は、図１のＩＩＩ−ＩＩＩ断面図である。
【００３２】
浴槽１は、浴槽本体１０と、浴槽本体１０内に温水又は冷水を入れるための蛇口２０及びシャワー３０と、浴槽本体１０内に入れる温水又は冷水を貯めておくタンク４０と、タンク４０に貯めている温水又は冷水に気泡を発生させ、浴槽本体１０内にこの温水又は冷水を入れるための気泡機械５０と、浴槽本体１０から溢れ出た温水又は冷水を受けて排水するための受部６０と、浴槽本体１０に貯めている温水又は冷水を浴槽本体１０外部に排出する排水管７０と、受部６０及び排水管７０に存在する水を浴槽１外部に排水するための排水口８０と、温水又は冷水の給水状態を制御するためのスイッチ９０とを有している。
【００３３】
浴槽本体１０は上端部分が開口した略直方体の形状の容器であり、その側壁１１のうち、奥行き方向（図２において上側）に位置する部分（以下、側壁１１ａと称す。）には、気泡機械５０で発生させた気泡を含む温水又は冷水を噴出する噴出口１２と、浴槽本体１０の水面の高さを調節するためのオーバーフロー用排水口１３とが設けられている。
【００３４】
また、手前側（図２において下側）に位置する側壁１１ｂには、この側壁１１ｂの上端から下方に向けて略四角形をなす形状に開口部１１ｃが形成されている。
【００３５】
そして、開口部１１ｃには、開閉可能な側板１４が取り付けられている。
【００３６】
さらに、浴槽本体１０の底部１５には、浴槽本体１０内に貯められている温水又は冷水を浴槽本体１０外部に排出する排水口１６が形成され、この排水口１６には排水口１６をふさぐための栓１６ａが設置されている。
【００３７】
オーバーフロー用排水口１３は、側壁１１ｂに対し高さを違えて二個形成されており、各々のオーバーフロー用排水口１３にはこのオーバーフロー用排水口１３をふさぐための栓１３ａが設けられている。そして、この栓１３ａを用いて適宜オーバーフロー用排水口１３をふさぐことにより浴槽本体１０内に貯められる温水又は冷水の水面の高さを調節することが可能としている。
【００３８】
例えば、下側に位置するオーバーフロー用排水口１３のみを栓１３ａでふさいだ場合、浴槽本体１０内に貯められる温水又は冷水は、上側に位置するオーバーフロー用排水口１３からオーバーフローすることになり、浴槽本体１０の水面高さは、上側に位置するオーバーフロー用排水口１３が形成されている高さになる。また、双方のオーバーフロー用排水口１３を栓１３ａでふさいだ場合、浴槽本体１０内に貯められている温水又は冷水は、側板１４の上端又は側壁１１の上端からオーバーフローすることになり、浴槽本体１０の水面高さは、側板１４の上端又は側壁１１の上端が位置する高さとなる。
【００３９】
側板１４は、主にアクリル樹脂等のような透明性を有する材料で形成されている。この側板１４は上下にスライド可能な状態で開口部１１ｃの周縁に取り付けられており、側板１４を上方にスライドさせて抜き出すことにより、開口部１１ｃを開口状態にし、側板１４を開口部１１ｃの上端から差し込んで下方にスライドさせることにより、開口部１１ｃを閉口状態にすることが可能となっている。
【００４０】
そして、この開口部１１ｃを開口状態にすることにより、開口部１１ｃから人やペットが浴槽本体１０内に入ることが可能となる。
【００４１】
また、側板１４は開口部１１ｃに配置されたときに高さの違うものが複数枚（例えば、比較的高い側板１４ａと、それより低い側板１４ｂと、さらに低い側板１４ｃの三枚）用意されており、これらの側板１４ａ、１４ｂ、１４ｃを適宜選定して開口部１１ｃを閉口することにより、浴槽本体１０内に貯められている温水又は冷水をオーバーフローさせる高さを調節することが可能となっている。
【００４２】
蛇口２０は、浴槽本体１０の上側から浴槽本体１０内に温水又は冷水を入れるものであり、給水管１００から温水又は冷水が直接的に供給されている（図４参照）。
【００４３】
シャワー３０は、浴槽本体１０の上側から浴槽本体１０内に温水又は冷水を入れるものであり、前記タンク４０及び前記気泡機械５０を介して給水管１００から温水又は冷水が供給されている（図４参照）。
【００４４】
タンク４０は、給水管１００から供給された温水又は冷水を一時的に貯めておくものであり、図２に示すとおり、浴槽本体１０よりも奥側（図２において上側）に配置されている。
【００４５】
気泡機械５０は、タンク４０に貯められた温水又は冷水に気泡を発生させて浴槽本体１０内に供給するものであり、前記温水又は冷水に気泡を発生させるための気泡発生装置５１と、この気泡を発生させた温水又は冷水を浴槽本体１０内に供給するためのポンプ５２とを備えている。
【００４６】
受部６０は皿状の形状をなしており、その周縁部分には、上方に立直した側壁６１が形成され、この側壁６１の内壁に沿った底部には溝部６２が形成されている。そして、溝部６２が形成されている部分の内側の底部に、浴槽本体１０、タンク４０、気泡機械５０等、浴槽１を構成する部品が載せられており、浴槽本体１０の側壁１１や側板１４の上端部分から溢れ出す温水や冷水を受部６０内で受けて溝部６２内に流すようになっている。すなわち、受部６０は、浴槽本体１０、タンク４０、気泡機械５０等、浴槽１を構成する部品の下に配置されている。
【００４７】
排水管７０は、前述のとおり、浴槽本体１０に貯めている温水又は冷水を浴槽本体１０の外部に排水するものであり、前記排水口１６から排水するための第一排水管７１と、前記オーバーフロー用排水口１３から排水するための第二排水管７２とを備えている。第一排水管７１は、排水口１６から奥側（図２において上側）に位置する溝部６２の上側にかけて配置されており、排水口１６から排水される温水又は冷水を溝部６２に導くように構成されている。第二排水管７２は、オーバーフロー用排水口１３から奥側（図２において上側）に位置する溝部６２の上側にかけて配置されており、排水口１６から排水される温水又は冷水を溝部６２に導くように構成されている。
【００４８】
排水口８０は、受部６０の溝部６２の一部分に形成されており、溝部６２に存在する温水又は冷水を浴槽１外に排水するように構成されている。
【００４９】
スイッチ９０は、前述のとおり、温水及び冷水の給水状態を制御するためのものであり、このスイッチ９０を切り替えることにより前記ポンプ５２及び後述の切換弁１１０（図４参照）の動作を制御し、前記シャワー３０からの噴出状態や、前記噴出口１２からの噴出状態を制御することを可能としている。
【００５０】
次に、図４を用いて、この浴槽１の配水状況につき説明する。
【００５１】
給水管１００は、蛇口２０及びタンク４０に接続され、給水管１００に存在する温水又は冷水は、蛇口２０及びタンク４０に供給される。蛇口２０に供給された温水又は冷水は、蛇口２０の栓を捻ることにより浴槽本体１０内に供給される。タンク４０に供給された温水又は冷水は、タンク４０と気泡機械５０とを接続する給水管１０１を通じて気泡機械５０に供給される。気泡機械５０に供給された温水又は冷水は気泡発生装置５１によって生成された気泡を含み、この気泡を含んだ温水又は冷水は、前記ポンプ５２により給水管１０２に供給される。給水管１０２に供給された温水又は冷水は、シャワー３０又は噴出口１２に供給され、このシャワー３０又は噴出口１２から前記気泡を含む温水又は冷水が浴槽本体１０内に向けて噴出することにより、浴槽本体１０内に前記気泡を含む温水又は冷水が浴槽本体１０内に供給される。前記気泡を含む温水又は冷水をシャワー３０から噴出させる場合と噴出口１２から噴出させる場合との切り替えは、給水管１０２の下流側に配置されている切換弁１１０を切り替えることにより行う。
【００５２】
すなわち、気泡機械５０に供給された温水又は冷水は、ポンプ５２、給水管１０２、切換弁１１０、シャワー３０、噴出口１２を含む注水装置から浴槽本体１０に供給される。
【００５３】
以上の構成によれば、前記側板１４を前記開口部１１ｃから抜き出すことによって前記開口部１１ｃを開口状態にすることにより、人やペットがこの開口部１１ｃから浴槽本体１０内に入ることが可能になる。
【００５４】
この開口部１１ｃは浴槽本体１０の側壁１１ｂの上端から下方に向けて開口した形状に形成されているため、この開口部１１ｃの下端は側壁１１の上端よりも低い位置に存在することになる。
【００５５】
したがって、前記浴槽本体１０の内部に入る際には、側壁１１の上端を跨ぐ必要がなく、この側壁１１の上端よりも低い位置から入ることができる。
【００５６】
また、前記補助者が前記要補助者（身体障害者、入院患者、高齢者等）やペットを入浴させる場合においても、側壁１１の上端よりも低い位置から前記要補助者やペットを浴槽本体１０内に入れることが可能になるため、従来のように前記要補助者やペットを側壁１１の上端より上まで持ち上げる必要がない。したがって、前記補助者の負担を軽減することが可能となる。
【００５７】
以上より、本発明によれば、身体障害者、入院患者、高齢者、ペット等が入浴する際にかかる負担を軽減することが可能となる。
【００５８】
また側板１４は透明性を有しているため、入浴状況や浴槽本体１０内に貯められている温水又は冷水の水位を目視することが出来、例えば、おぼれる等の事故が発生しない水位に前記温水又は冷水の水面を設定する等のように、前記入浴状況に応じて前記浴槽本体の内部に貯留された液体の液面高さを好適な状態に調節することが可能となる。
【００５９】
さらに、側板１４は、高さの違うものが複数枚用意されており、これらの側板１４を適宜選定して開口部１１ｃを閉口することにより、浴槽本体１０内に貯められている温水又は冷水をオーバーフローさせる高さを調節することが可能となっているため、浴槽本体１０内に貯められる温水又は冷水の液面高さを好適な状態に調節することが可能となる。
【００６０】
またさらに、浴槽本体１０内にオーバーフロー用排水口１３が高さを違えて二個形成され、各々のオーバーフロー用排水口１３にはこのオーバーフロー用排水口１３をふさぐための栓１３ａが設けられているため、この栓１３ａを用いて適宜オーバーフロー用排水口１３をふさぐことによっても浴槽本体１０内に貯められる温水又は冷水の水面の高さを調節することが可能となる。
【００６１】
また、浴槽本体１０から溢れ出た温水又は冷水を受けるための受部６０が設けられているため、浴槽本体１０から温水又は冷水が飛び散ることを可及的に阻止することが可能となる。したがって、防水処理がされていない箇所にもこの浴槽１を設置することが可能になり、要望に応じて様々な場所に配置することが可能となる。
【００６２】
さらに、前記温水又は冷水に気泡を発生させるための気泡発生装置５１と、この気泡を発生させた温水又は冷水を浴槽本体１０内に供給するためのポンプ５２とを備えているため、この浴槽本体１０内に気泡を発生させた温水又は冷水を入れることが可能となり、入浴する者やペットに心地よい刺激を与えることが可能となる。
【００６３】
また、シャワー３０から前記気泡を含む温水又は冷水が浴槽本体１０内に向けて噴出させることが出来るため、気泡を発生させた温水又は冷水を直接的に人体やペットに当てることができ、より有効に心地よい刺激を与えることが可能となる。
【００６４】
さらに、浴槽本体１０への温水又は冷水の供給は、前記注水装置からだけでなく、蛇口２０からも行うことが可能であるため、浴槽本体１０内に温水又は冷水を貯める時間を速くすることが可能となる。
【００６５】
以下において他の実施形態について説明する。なお、前記実施形態と同構成のものについては同一符号を付すのみとし、その詳細な説明は省略する。
【００６６】
その他実施形態
（一）  本発明の側板１４は、開口部１１ｃを開閉する扉となるように、一端を側壁１１ｂに固定するようにしてもよい。もっとも、前記実施形態のように、上下方向にスライド可能で、かつ、上方に抜出可能に構成する方が、前記開口部１１ｃを開閉するときに側板１４を動かすために必要なスペースが少なくて済み、省スペース化を図る上ではより好ましい。
【００６７】
（二）  オーバーフロー用排水口１３の数は、必ずしも二個に限定されるものではなく、一個、あるいは、三個以上形成してもよい。また、前記のように高さの異なる側板を選択的に取り付けることにより側板の高さを変更できるようにしておけば、オーバーフロー用排水口１３を形成しない構成にしても液面高さを調節できる。
【図面の簡単な説明】
【００６８】
【図１】本発明の一実施形態にかかる浴槽の概略を示した斜視図である。
【図２】本発明の一実施形態にかかる浴槽の概略を示した平面図である。
【図３】図１のＩＩＩ−ＩＩＩ断面図である。
【図４】本発明の一実施形態にかかる浴槽の配管状況を示したブロック図である。
【符号の説明】
【００６９】
１    浴槽
１０  浴槽本体
１１、１１ａ、１１ｂ    側壁
１１ｃ      開口部
１２  噴出口（注水口、注水装置）
１３  オーバーフロー用排水口
１３ａ      栓
１４  側板
２０  蛇口
３０  シャワー（注水装置）
５１  気泡発生装置
５２  ポンプ（注水装置）
６０  受部（水受部）
１０２      給水管（注水装置）
１１０      切換弁（注水装置）
【図１】
2005224353.tif 000003
【図２】
2005224353.tif 000004
【図３】
2005224353.tif 000005
【図４】
2005224353.tif 000006